(57)【要約】【課題】インターネットなどの通信ネットワークを用いた商品販売において、購入者に複数の商品の商品説明を閲覧しやすくさせる商品販売方法、プログラムおよび商品販売システムを提供する。【解決手段】商品を桝目で選択するプログラムは販売者側のサーバに保存され、販売者が入力した複数商品に共通する説明事項を受付けて、予め準備された、横軸と縦軸とで特定される桝目を有した商品一覧表を作成し表示し、商品一覧表の横軸に表示すべき商品の規格、種類、色、型のうちから選択された第１条件を受付け、縦軸に表示すべき商品のサイズ、色、長さ、大きさ、重さのうちから選択された第２条件を受付け、横軸と縦軸とで特定される商品について販売者が入力した販売単価を受付け、かつ購入者が通信端末器からサーバにアクセスしたときには、通信端末器に共通事項と商品一覧表とを表示させ、購入者が商品一覧表の横軸と縦軸とで特定される商品を選択し購入数量の入力を受付けて、購入金額を演算して結果を表示する。【選択図】図１
2007188536.tif 000002
【特許請求の範囲】
【請求項１】
商品を桝目で選択するプログラムを活用した、通信ネットワークを用いた商品販売方法であって、
上記商品を桝目で選択するプログラムは、販売者側のサーバに保存され、該サーバに読み込まれて、
販売者が入力した、複数の商品に共通する商品見本の画像、商品名、商品説明、販売単位等を含む説明事項を受付けて、共通事項としてまとめて表示し、予め準備された、所定の横軸と縦軸とで特定される桝目を有した商品一覧表を作成し、表示するステップと、
販売者が設定入力した上記商品一覧表の桝目の横軸に表示すべき、商品の規格、種類、色、型のうちから選択された第１の条件を受付けるステップと、
販売者が設定入力した上記商品一覧表の桝目の縦軸に表示すべき、商品のサイズ、色、長さ、大きさ、重さのうちから選択された第２の条件を受付けるステップと、
上記商品一覧表の横軸と縦軸とで特定される商品について、販売者が入力した販売単価を受付けるステップとを実行し、かつ
購入者が通信端末器を通じて上記販売者側のサーバにアクセスして来たときには、
購入者の通信端末器に、上記共通事項と上記商品一覧表とを表示させるステップと、
購入者が上記商品一覧表の横軸と縦軸とで特定される商品を選択し、その商品の購入数量の入力を受付けて、購入金額を演算して、演算結果を表示するステップとを実行することを特徴とする、通信ネットワークを用いた商品販売方法。
【請求項２】
請求項１において、
上記商品を桝目で選択するプログラムは、
上記販売者が設定入力した、上記第１、第２の条件の数に応じて、上記商品一覧表の横軸及び縦軸の行、列の数を可変させるステップを更に実行することを特徴とする、通信ネットワークを用いた商品販売方法。
【請求項３】
販売者側のサーバに保存され、該サーバに読み込まれて動作する、通信ネットワークを用いた商品販売方法のプログラムであって、
販売者が入力した、複数の商品に共通する商品見本の画像、商品名、商品説明、販売単位等を含む説明事項を受付けて、共通事項としてまとめて表示し、予め準備された、所定の横軸と縦軸とで特定される桝目を有した商品一覧表を作成し、表示するステップと、
販売者が設定入力した上記商品一覧表の桝目の横軸に表示すべき、商品の規格、種類、色、型のうちから選択された第１の条件を受付けるステップと、
販売者が設定入力した上記商品一覧表の桝目の縦軸に表示すべき、商品のサイズ、色、長さ、大きさ、重さのうちから選択された第２の条件を受付けるステップと、
上記商品一覧表の横軸と縦軸とで特定される商品について、販売者が入力した販売単価を受付けるステップとを備え、かつ
購入者が通信端末器を通じて上記販売者側のサーバにアクセスして来たときには、
購入者の通信端末器に、上記共通事項と上記商品一覧表とを表示させるステップと、
購入者が上記商品一覧表の横軸と縦軸とで特定される商品を選択し、その商品の購入数量の入力を受付けて、購入金額を演算して、演算結果を表示するステップとを備えていることを特徴とする、通信ネットワークを用いた商品販売方法のプログラム。
【請求項４】
請求項３において、
上記販売者が設定入力した、上記第１、第２の条件の数に応じて、上記商品一覧表の横軸及び縦軸の行、列の数を可変させるステップを更に備えていることを特徴とする、通信ネットワークを用いた商品販売方法のプログラム。
【請求項５】
請求項３または４に記載の商品販売方法のプログラムを記録した、コンピュータで読取り可能な記録媒体。
【請求項６】
商品を桝目で選択するプログラムを活用した、通信ネットワークを用いた商品販売システムであって、
商品を桝目で選択するプログラムを販売者のサーバに読み込んで、以下の機能を実行する手段を備えている、
販売者のサーバは、
販売者が入力した、複数の商品に共通する商品見本の画像、商品名、商品説明、販売単位等を含む説明事項を受付けて、共通事項としてまとめて表示するとともに、予め準備された、所定の横軸と縦軸とで特定される桝目を有した商品一覧表を作成して表示する手段と、
販売者が設定入力した上記商品一覧表の桝目の横軸に表示すべき、商品の規格、種類、色、型のうちから選択された第１の条件を受付けるとともに、
販売者が設定入力した上記商品一覧表の桝目の縦軸に表示すべき、商品のサイズ、色、長さ、大きさ、重さのうちから選択された第２の条件を受付ける手段と、
上記商品一覧表の横軸と縦軸と縦軸とで特定される商品について、販売者が入力した販売単価を受付けて、商品一覧表を作成する手段とを備え、
購入者の通信端末器は、
上記販売者側のサーバにアクセスすると、上記共通事項と上記商品一覧表とを表示して、
購入者による、上記商品一覧表の横軸と縦軸とで特定される商品の選択操作を受付ける手段と、購入者による商品の購入数量の入力を受付け、購入金額を演算して、演算結果を表示する手段とを備えていることを特徴とする、通信ネットワークを用いた商品販売システム。
【請求項７】
請求項６において、
上記販売者のサーバは、販売者が設定入力した、上記第１、第２の条件の数に応じて、上記商品一覧表の横軸及び縦軸の行、列の数を可変させる手段を更に備えていることを特徴とする、通信ネットワークを用いた商品販売システム。
【発明の詳細な説明】
【技術分野】
【０００１】
本発明は、販売者が通信手段をもちいて、ネット上で商品を販売するのに、商品を購入者が桝目で選択することができるプログラムを活用した通信ネットワークを用いた商品販売方法、そのプログラムおよび通信ネットワークを用いた商品販売システムに関する。
【背景技術】
【０００２】
現在、販売者はネット上で販売する商品について、共通の説明事項がある場合でも、商品の規格、サイズ、大きさ、販売単価等が違うと、別々の商品としなければならない。よって販売単価が違う商品は、個別の商品ごとに画像、商品説明等をプログラムに入力しなければならない。
【０００３】
従って商品ページが多くなり、商品の共通の商品説明事項がある商品でも、販売者は個々にデータを入力しなければならず、また購入者も商品を選択するのに個別の商品ごとに商品説明を閲覧しなければならないので手間がかかる。
【発明の開示】
【発明が解決しようとする課題】
【０００４】
そこで本発明では、図２のように閲覧表示させて商品を購入者が桝目で選択することができるプログラムを構築し、それにより、販売者の商品のプログラムへのデータ入力を省力し、購入者に商品説明の閲覧をしやすくさせることを目的とした。
【課題を解決するための手段】
【０００５】
上記課題を解決するために提案される、請求項１に記載の通信ネットワークを用いた商品販売方法は、商品を桝目で選択するプログラムを活用した、通信ネットワークを用いた商品販売方法であって、商品を桝目で選択するプログラムは、販売者側のサーバに保存され、該サーバに読み込まれて、販売者が入力した、複数の商品に共通する商品見本の画像、商品名、商品説明、販売単位等を含む説明事項を受付けて、共通事項としてまとめて表示し、予め準備された、所定の横軸と縦軸とで特定される桝目を有した商品一覧表を作成し、表示するステップと、販売者が設定入力した商品一覧表の桝目の横軸に表示すべき、商品の規格、種類、色、型のうちから選択された第１の条件を受付けるステップと、販売者が設定入力した上記商品一覧表の桝目の縦軸に表示すべき、商品のサイズ、色、長さ、大きさ、重さのうちから選択された第２の条件を受付けるステップと、商品一覧表の横軸と縦軸とで特定される商品について、販売者が入力した販売単価を受付けるステップとを実行し、かつ、購入者が通信端末器を通じて販売者側のサーバにアクセスして来たときには、購入者の通信端末器に、共通事項と商品一覧表とを表示させるステップと、購入者が上記商品一覧表の横軸と縦軸とで特定される商品を選択し、その商品の購入数量の入力を受付けて、購入金額を演算して、演算結果を表示するステップとを実行することを特徴とする。
【０００６】
請求項２に記載の発明方法は、商品を桝目で選択するプログラムが、販売者が設定入力した、第１、第２の条件の数に応じて、商品一覧表の横軸及び縦軸の行、列の数を可変させるステップを更に実行することを特徴とする。
【０００７】
請求項３に記載の本発明プログラムは、販売者側のサーバに保存され、該サーバに読み込まれて動作する、通信ネットワークを用いた商品販売方法のプログラムであって、販売者が入力した、複数の商品に共通する商品見本の画像、商品名、商品説明、販売単位等を含む説明事項を受付けて、共通事項としてまとめて表示し、予め準備された、所定の横軸と縦軸とで特定される桝目を有した商品一覧表を作成し、表示するステップと、販売者が設定入力した商品一覧表の桝目の横軸に表示すべき、商品の規格、種類、色、型のうちから選択された第１の条件を受付けるステップと、販売者が設定入力した商品一覧表の桝目の縦軸に表示すべき、商品のサイズ、色、長さ、大きさ、重さのうちから選択された第２の条件を受付けるステップと、商品一覧表の横軸と縦軸とで特定される商品について、販売者が入力した販売単価を受付けるステップとを備え、かつ、購入者が通信端末器を通じて販売者側のサーバにアクセスして来たときには、購入者の通信端末器に、共通事項と商品一覧表とを表示させるステップと、購入者が商品一覧表の横軸と縦軸とで特定される商品を選択し、その商品の購入数量の入力を受付けて、購入金額を演算して、演算結果を表示するステップとを備えていることを特徴とする。
【０００８】
請求項４に記載の本発明プログラムは、販売者が設定入力した、第１、第２の条件の数に応じて、商品一覧表の横軸及び縦軸の行、列の数を可変させるステップを更に備えている。
【０００９】
請求項５に記載のコンピュータで読取り可能な記録媒体は、請求項３または４に記載の商品販売方法のプログラムを記録している。
【００１０】
請求項６に記載の通信ネットワークを用いた商品販売システムは、商品を桝目で選択するプログラムを活用した、通信ネットワークを用いた商品販売システムであって、商品を桝目で選択するプログラムを販売者のサーバに読み込んで、以下の機能を実行する手段を備えている。
すなわち、販売者のサーバは、販売者が入力した、複数の商品に共通する商品見本の画像、商品名、商品説明、販売単位等を含む説明事項を受付けて、共通事項としてまとめて表示するとともに、予め準備された、所定の横軸と縦軸とで特定される桝目を有した商品一覧表を作成して表示する手段と、販売者が設定入力した商品一覧表の桝目の横軸に表示すべき、商品の規格、種類、色、型のうちから選択された第１の条件を受付けるとともに、販売者が設定入力した商品一覧表の桝目の縦軸に表示すべき、商品のサイズ、色、長さ、大きさ、重さのうちから選択された第２の条件を受付ける手段と、商品一覧表の横軸と縦軸とで特定される商品について、販売者が入力した販売単価を受付けて、商品一覧表を作成する手段とを備えている。
また、購入者の通信端末器は、販売者側のサーバにアクセスすると、共通事項と商品一覧表とを表示して、購入者による、商品一覧表の横軸と縦軸とで特定される商品の選択操作を受付ける手段と、購入者による商品の購入数量の入力を受付け、購入金額を演算して、演算結果を表示する手段とを備えている。
【００１１】
請求項７に記載の本発明システムは、販売者のサーバが、販売者が設定入力した、第１、第２の条件の数に応じて、商品一覧表の横軸及び縦軸の行、列の数を可変させる手段を更に備えていることを特徴とする。
【発明の効果】
【００１２】
請求項１〜７に記載のいずれの本発明においても、販売者は商品の共通事項として商品の見本画像、商品名、商品説明、販売単位等をプログラムに入力すると、プログラムが、共通事項をまとめて表示し、販売者が桝目の横軸、縦軸に規格及びサイズ等を入力すると、プログラムが桝目の横軸、縦軸の条件に合った商品を商品一覧表に表示し特定するので、商品の共通事項である見本画像、商品名、商品説明、販売単位等のデータの入力が省力できる。また、購入者は商品の共通事項を確認し、商品一覧表で商品及び販売単価を見比べて商品を選択することができるので、商品の選択、閲覧が容易になる。
【発明を実施するための最良の形態】
【００１３】
図１は、ネットワークを用いて行われる本発明方法の基本概念図を示しており、図３は、本発明の共通の要部をなす、商品を桝目で選択するプログラムの基本構成を示している。
【００１４】
商品を桝目で選択するプログラム（以下、「プログラム」という）は、図３に示すように、販売者がネット上で販売する商品の共通の説明事項である商品見本の画像、商品名、商品説明、販売単位等を共通事項としてプログラムに入力すると、プログラムが共通事項をまとめて表示し、予め準備された、桝目を有した商品一覧表を作成して表示する手段（ステップ）（図３−（１））と、販売者が、プログラムの商品一覧表の桝目の横軸に商品の規格、種類、色、型等を第１の条件として設定し、更に、桝目の縦軸に商品のサイズ、色、長さ、大きさ、重さ等を第２の条件として設定すると、プログラムが商品一覧表の桝目の横軸、縦軸の条件に合った商品を商品一覧表に表示し特定する手段（ステップ）（図３−（２））と、販売者が、販売単価を桝目に入力する手段（ステップ）（図３−（３））と、購入者が桝目の商品を選択する手段（ステップ）（図３−（５））と、購入者が購入数量を入力する手段（ステップ）（図３−（６））と、プログラムが演算をし購入金額を表示する手段（ステップ）（図３−（７））とを備えている。
【００１５】
商品を桝目で選択するプログラムでは、図２に示すように、まず、販売者は、販売者側のサーバで、商品（図２−（９））の共通事項（図２−（１４））である商品見本の画像（図２−（２））、商品名（図２−（３））、商品説明（図２−（４））、販売単位（図２−（５））等をプログラムに入力する（図３−（１））と、プログラムが、共通事項をまとめて表示する。
【００１６】
次に、販売者がプログラムに、商品一覧表（図２−（６））の桝目の横軸に商品の規格（図２−（８））、種類、色、型等を第１の条件として設定し、桝目の縦軸に商品のサイズ（図２−（７））、色、長さ、大きさ、重さ等を第２の条件として設定する（図３−（２））と、プログラムが桝目の横軸、縦軸の条件に合った商品（図２−（９））を商品一覧表に表示し特定する。
【００１７】
ついで、販売者が販売単価（図２−（１０））を、第１の条件と第２の条件とで特定された桝目に入力する（図３−（３））。
【００１８】
これに対して、購入者は、通信端末器を通じて販売者のサーバにアクセスし、図２に示した商品選択閲覧画面を表示させると、商品一覧表（図２−（６））の桝目に表示された商品（図２−（９））を見比べて選択し（図３−（５））、購入数量（図２−（１１））を入力する（図３−（６））と、プログラムは販売単価（図２−（１０））と購入数量（図２−（１１））で演算し、演算結果が購入金額（図２−（１２））として画面に出力される（図３−（７））。購入者は送信ボタン（図２−（１３））を操作して申しこむ（図３−（８））ことができる。
【図面の簡単な説明】
【００１９】
【図１】本発明の方法、システムの概念説明図。
【図２】購入者の通信端末器に表示される、商品を桝目で選択するプログラムの商品選択閲覧画面の一例を示す図。
【図３】商品を桝目で選択するプログラムを用いた本発明の方法、システムの機能を販売者、購入者の入力行為に対応して説明する図。
【図１】
2007188536.tif 000003
【図２】
2007188536.tif 000004
【図３】
2007188536.tif 000005